(57)【要約】【課題】見た目においてインパクトがあり、買い物客の購買意欲を掻き立てることができる土産物用包装体を提供する。【解決手段】本考案に係る土産物用包装体は、土産物を収容した包装箱の全体を包み込んだ包装紙２と、宛名面および絵柄面を有するポストカード４とを備えている。包装紙２は、陳列された際に人目に触れやすい主領域３を有する。主領域３は、土産物に関する印刷がなされた領域３ａと実質的に無地の領域３ｂとに分かれており、このうち、無地の領域３ｂに、ポストカード４の宛名面が取り付けられている。【選択図】図１
0003176491.tif 000002
【実用新案登録請求の範囲】
【請求項１】
土産物を収容した直方体状の包装箱と、
前記包装箱の全体を包み込んだ包装紙と、
宛名面および絵柄面を有するポストカードとを備え、
前記包装紙は、陳列された際に人目に触れやすい主領域を有し、
前記主領域は、前記土産物に関する印刷がなされた領域と実質的に無地の領域とに分かれており、
前記無地の領域に、前記ポストカードの前記宛名面が取り付けられていることを特徴とする土産物用包装体。
【請求項２】
前記無地の領域は、前記ポストカードよりもひとまわり大きいことを特徴とする請求項１に記載の土産物用包装体。
【請求項３】
前記ポストカードは、透明の袋に収容されており、
前記透明の袋および前記包装紙は、両面テープまたは接着剤で固定されていることを特徴とする請求項１または２に記載の土産物用包装体。
【請求項４】
前記包装紙の前記無地の領域に、前記ポストカードの角を挿入するための切り込みが形成されていることを特徴とする請求項１または２に記載の土産物用包装体。
【考案の詳細な説明】
【技術分野】
【０００１】
本考案は、菓子等の土産物を包装するための土産物用包装体に関する。
【背景技術】
【０００２】
観光地、駅および空港等にある土産物店では、その地域にゆかりのある多種多様な菓子等の土産物が包装箱と包装紙とからなる包装体に収容されて陳列・販売されている。土産物店を訪れた買い物客は、通常、土産物の包装紙に印刷された絵や写真を見比べながら、購入する土産物を選ぶ。このため、土産物業者は、包装紙に印刷する絵や写真を工夫することにより、自己の土産物を購入してもらおうと努めている。
【０００３】
しかしながら、このような手法のみで自己の土産物をインパクトあるものとし、他人の土産物との差別化を図るのには限界がある。このため、土産物業者は、何か別の手法で他人の土産物との差別化を図ることができないか日々試行錯誤を繰り返している。
【０００４】
このような試行錯誤の中で生まれたのが特許文献１に記載の「記録媒体付き土産物」である。この土産物は、おまけとしてＣＤ−ＲＯＭ等の記録媒体を包装体に入れることにより、何のおまけも付いていない他人の土産物との差別化を図っている。この土産物によれば、記録媒体に記憶されている当該地域の観光情報を観た本人（購入者）やその知人がその地域を再度訪れることによる観光促進効果も期待できる。
【先行技術文献】
【特許文献】
【０００５】
【特許文献１】特開２００５−２２５５１９号公報
【考案の概要】
【考案が解決しようとする課題】
【０００６】
しかしながら、上記記録媒体付き土産物は、土産物店に陳列されている際に記録媒体が完全に隠れてしまっているので、買い物客に対するアピールが弱く、他人の土産物との差別化が十分にできているとは言えなかった。
【０００７】
本考案は上記事情に鑑みてなされたものであって、その課題とするところは、見た目においてインパクトがあり、買い物客の購買意欲を掻き立てることができる土産物用包装体を提供することにある。
【課題を解決するための手段】
【０００８】
上記課題を解決するために、本考案に係る土産物用包装体は、土産物を収容した直方体状の包装箱と、包装箱の全体を包み込んだ包装紙と、宛名面および絵柄面を有するポストカードとを備え、包装紙は、陳列された際に人目に触れやすい主領域を有し、主領域は、土産物に関する印刷がなされた領域と実質的に無地の領域とに分かれており、無地の領域に、ポストカードの宛名面が取り付けられていることを特徴とする。
【０００９】
この構成によれば、包装紙の人目に触れやすい領域（無地の領域）におまけとしてのポストカードが取り付けられており、見た目が他の土産物と大きく異なるので、買い物客の目に留まりやすく、売り上げ増が期待できる。
【００１０】
また、この構成によれば、包装紙に印刷されている絵や写真を変更しなくても、ポストカードの絵柄を変更するだけで買い物客に与える印象を全く違ったものに変えることができる。
【００１１】
上記土産物用包装体は、無地の領域が、ポストカードよりもひとまわり大きいことが好ましい。このような構成とすることにより、ポストカードの絵柄が引き立ち、見た目がよりインパクトあるものになる。
【００１２】
ポストカードの取り付けは種々の態様が考えられる。例えば、ポストカードが透明の袋に収容されている場合は、透明の袋および包装紙を両面テープまたは接着剤で固定することによりポストカードを取り付けることができる。また、包装紙の無地の領域にポストカードの角を挿入するための切り込みが形成されている場合は、該切り込みを利用してポストカードを取り付けることもできる。
【考案の効果】
【００１３】
本考案によれば、見た目においてインパクトがあり、買い物客の購買意欲を掻き立てることができる土産物用包装体を提供することができる。
【図面の簡単な説明】
【００１４】
【図１】本考案に係る土産物用包装体の斜視図である。
【図２】本考案に係る土産物用包装体で使用する包装紙を展開した平面図である。
【図３】本考案に係る土産物用包装体で使用するポストカードを絵柄面側から見た平面図である。
【図４】本考案に係る土産物用包装体の別の構成を示す斜視図である。
【考案を実施するための形態】
【００１５】
以下、添付図面を参照しながら、本考案に係る土産物用包装体の実施形態について説明する。
【００１６】
図１に本考案に係る土産物用包装体を示す。この図から理解されるように、本考案に係る土産物用包装体１は、土産物を収容した直方体状の包装箱（不図示）と、包装箱の全体を包み込んだ包装紙２と、包装紙２に取り付けられたポストカード４とを備えている。図２に示すように、包装紙２は元々は一枚の紙であり、これを包装箱の各辺に沿って折り曲げていくことにより図１に示す状態となる。
【００１７】
包装紙２は、土産物店において陳列された際に買い物客の目に触れやすい主領域３を有する。この主領域３は、土産物（本実施形態では饅頭）に関する印刷がなされた領域３ａと、黒色または黒色に近似した濃色だけで着色された領域３ｂとに分かれている。領域３ｂは、実質的に無地である。すなわち、領域３ｂには、買い物客がパッと見て認識し得るような文字や模様は描かれていない。
【００１８】
本実施形態では、領域３ａおよび領域３ｂの面積比をほぼ１：１としているが、これには限定されない。ただし、領域３ａの面積が大きすぎると、領域３ａに印刷された土産物に関する絵、写真、文字の印象が強くなり、ポストカード４を設けたことによる視覚的効果が相対的に薄れてしまうので、注意が必要である。
【００１９】
また、本実施形態では、無地の領域３ｂがポストカード４よりもひとまわり大きくなっている。具体的には、領域３ｂの寸法は１１０ｍｍ×１７０ｍｍであり、通常のポストカード４の寸法（１００ｍｍ×１４８ｍｍ）よりも各方向の寸法が約１０ｍｍずつ長くなっている。このため、取り付けられたポストカード４の上下左右には、約５ｍｍ幅の余白が生じる。ポストカード４の周囲に黒色（または濃色）の余白が存在することにより、ポストカード４の絵柄を浮かび上がらせて引き立たせることができる。
【００２０】
図３はポストカード４を絵柄面側から見た平面図である。同図に示すように、本実施形態では、ポストカード４の絵柄面のほぼ全面に桜の花びらが描かれているが、季節、販売地域、買い物客層等に応じて絵柄は適宜変更することができる。例えば、外国人観光客が多く訪れる空港内の土産物店で販売する場合は、日本特有のもの（歌舞伎、舞妓、伝統行事、四季の草花等）をモチーフとした絵柄にすることが好ましい。
【００２１】
絵柄面の裏側には、当然ながら宛名面がある。
【００２２】
本実施形態では、ポストカード４が透明の袋５に収容されている。この袋５は、適当な両面テープまたは接着剤によって包装紙２の領域３ｂに固定されている。透明の袋５は、ポストカード４を保護するとともに、ポストカード４に接着剤等が直接付着するのを防ぐ役割を果たす。
【００２３】
透明の袋５を使用しない場合は、図４に示すように、包装紙２の領域３ｂに複数の切り込み６を形成し、ポストカード４の角部をこの切り込み６に挿入することにより、ポストカード４を包装紙２に取り付けることができる。
【００２４】
以上、本考案に係る土産物用包装体の実施形態について説明したが、本考案は上記構成に限定されるものではない。
例えば、ポストカード４の絵柄を浮かび上がらせなくてもよい場合は、領域３ｂの寸法とポストカード４の寸法とを同一とすることができる。また、ポストカード４の絵柄が暗い色を基調としている場合は、領域３ｂを白色または白色に近似した淡色で着色することにより、ポストカード４の絵柄を引き立たせることができる。
【符号の説明】
【００２５】
１    土産物用包装体
２    包装紙
３    主領域
４    ポストカード
５    袋
６    切り込み
【図１】
0003176491.tif 000003
【図２】
0003176491.tif 000004
【図３】
0003176491.tif 000005
【図４】
0003176491.tif 000006